(57)【要約】【課題】印刷装置において、簡単な構成及び簡単な制御で用紙の仕分けを行う。【解決手段】印刷装置（孔版印刷装置１）は、用紙Ｓに印刷を行う印刷部２０と、この印刷部２０を制御する制御部４１と、を備え、この制御部４１は、複数の用紙Ｓを仕分ける仕分け用紙Ｓ０に、この仕分け用紙Ｓ０の前に印刷される用紙Ｓ及び後に印刷される用紙Ｓのうち少なくとも一方の印刷内容Ｃと同一の印刷内容Ｃが、印刷位置がずれて印刷される仕分け制御を行う。【選択図】図６
2019188703.tif 000002
【特許請求の範囲】
【請求項１】
用紙に印刷を行う印刷部と、
前記印刷部を制御する制御部と、を備え、
前記制御部は、複数の前記用紙を仕分ける仕分け用紙に、当該仕分け用紙の前に印刷される前記用紙及び後に印刷される前記用紙のうち少なくとも一方の印刷内容と同一の印刷内容が、印刷位置がずれて印刷される仕分け制御を行う
ことを特徴とする印刷装置。
【請求項２】
前記制御部は、前記仕分け用紙の前記印刷位置をずらす方向を、少なくとも、前記印刷内容の周縁と前記仕分け用紙の周縁との余白幅に基づいて、決定する
ことを特徴とする請求項１記載の印刷装置。
【請求項３】
前記制御部は、前記仕分け用紙の前記印刷位置を、前記印刷内容が前記仕分け用紙からはみ出すようにずらす
ことを特徴とする請求項１又は２記載の印刷装置。
【請求項４】
前記制御部は、前記仕分け用紙の前記印刷位置をずらす方向を、少なくとも、当該仕分け用紙からはみ出す印刷領域の色材の量に基づいて、決定する
ことを特徴とする請求項３記載の印刷装置。
【発明の詳細な説明】
【技術分野】
【０００１】
本発明は、印刷装置に関する。
【背景技術】
【０００２】
従来、印刷後の用紙仕分けを行うために挿入される仕分け用紙に、サンプル印刷用の画像を印刷する印刷装置が知られている（例えば、特許文献１参照）。
【０００３】
また、排紙トレイに配置され、用紙を移動させることによって仕分けを行う仕分け装置も知られている（例えば、特許文献２参照）。
【先行技術文献】
【特許文献】
【０００４】
【特許文献１】特開２００６−９２０００号公報
【特許文献２】特開２００１−２７０２１４号公報
【発明の概要】
【発明が解決しようとする課題】
【０００５】
上述のように仕分け用紙にサンプル印刷用の画像を印刷する場合、仕分け用紙のためだけに個別の印刷内容を用意する制御が必要になる。特に有版印刷機では、例えば孔版印刷装置において孔版原紙（マスタ）を仕分け用紙のために作成する制御を行う必要があるなど、仕分け用紙のためだけに特別な印刷を行うことは困難である。
【０００６】
また、上述のように排紙トレイにおいて用紙を移動させることによって仕分けを行う仕分け装置や、用紙の間にテープなどを挿入する仕分け装置は、この仕分け装置を配置する分、構造が複雑化する。
【０００７】
なお、複数の給紙トレイを備える印刷装置において、仕分け用に他の給紙トレイから色又はサイズが異なる用紙の給紙を行う場合、複数の給紙トレイを備えることが必須になる。更には、複数の給紙トレイに互いに色又はサイズが異なる用紙を収容することも必須となるため、ユーザにとって手間になるとともに、印刷中に仕分け用紙が不足する場合が生じる。
【０００８】
本発明の目的は、簡単な構成及び簡単な制御で用紙の仕分けを行うことができる印刷装置を提供することある。
【課題を解決するための手段】
【０００９】
１つの態様では、印刷装置は、用紙に印刷を行う印刷部と、前記印刷部を制御する制御部と、を備え、前記制御部は、複数の前記用紙を仕分ける仕分け用紙に、当該仕分け用紙の前に印刷される前記用紙及び後に印刷される前記用紙のうち少なくとも一方の印刷内容と同一の印刷内容が、印刷位置がずれて印刷される仕分け制御を行う。
【発明の効果】
【００１０】
前記態様によれば、簡単な構成及び簡単な制御で用紙の仕分けを行うことができる。
【図面の簡単な説明】
【００１１】
【図１】一実施の形態に係る孔版印刷装置を示す構成図である。
【図２】一実施の形態に係る孔版印刷装置の制御構成を示すブロック図である。
【図３】一実施の形態における仕分け制御を説明するためのフローチャートである。
【図４】一実施の形態における印刷位置をずらす方向を説明するための説明図（その１）である。
【図５】一実施の形態における印刷位置をずらす方向を説明するための説明図（その２）である。
【図６】一実施の形態における仕分けされた複数の用紙を示す図である。
【図７】変形例における印刷位置をずらす方向を説明するための説明図（その１）である。
【図８】変形例における印刷位置をずらす方向を説明するための説明図（その２）である。
【発明を実施するための形態】
【００１２】
以下、本発明の一実施の形態に係る印刷装置について、図面を参照しながら説明する。
図１は、孔版印刷装置１を示す構成図である。
【００１３】
図２は、孔版印刷装置１の制御構成を示すブロック図である。
図１に示すように、印刷装置の一例である孔版印刷装置１は、装置筐体２と、操作パネル部３と、原稿読取部４と、カム駆動部５と、排版部６と、給紙部７と、排紙部８と、印刷部２０と、製版部３０と、制御部４１とを備える。また、図２に示すように、孔版印刷装置１は、ＲＯＭ４２と、ＲＡＭ４３と、インターフェース部４４と、印刷位置ずらし手段の一例である印刷部駆動部５０とを更に備える。なお、本実施の形態では、印刷装置の一例として孔版印刷装置１について説明するが、印刷装置としては、インクジェット方式や電子写真方式の印刷装置などの他の印刷装置であってもよい。
【００１４】
装置筐体２の上部には、操作パネル部３及び原稿読取部４が配置されている。
操作パネル部３は、孔版印刷装置１の各種操作を行うための操作キーを有することで、孔版印刷装置１の入力部の一例として機能する。なお、操作パネル部３は、タッチパネル付きのディスプレイを有する場合には、孔版印刷装置１の入力部及び表示部の一例として機能する。
【００１５】
原稿読取部４は、原稿から画像データを読み取るスキャナを有する。
カム駆動部５は、印刷部２０のクランプ部２３のクランプ板に孔版原紙（マスタ）Ｍの先端をクランプさせるとともに、クランプ部２３の跳ね上げ板に印刷済みの孔版原紙Ｍを版胴２１から跳ね上げさせる。
【００１６】
排版部６は、版胴２１からクランプ部２３によって跳ね上げられた孔版原紙Ｍを収容する。
【００１７】
給紙部７は、印刷前の用紙Ｓが積載される給紙トレイや、この給紙トレイから印刷部２０へ用紙Ｓの給紙を行う給紙ローラなどを有する。
【００１８】
排紙部８は、印刷部２０から搬送される印刷済みの用紙Ｓを装置筐体２から排出する排紙ローラや、装置筐体２から排出された用紙Ｓが積載される排紙トレイなどを有する。
【００１９】
印刷部２０は、版胴２１と、支軸２２と、クランプ部２３と、剥離爪２４と、プレスローラ２５とを有する。なお、印刷部２０は、後述する印刷部駆動部５０の駆動によって、例えば用紙Ｓの搬送方向Ｄの前方（図１における右方向）に移動可能である。
【００２０】
版胴２１は、円筒形状を呈し、図１における反時計回りに回転する。
支軸２２は、版胴２１の中心軸方向に延び、装置筐体２によって保持される。
【００２１】
クランプ部２３は、孔版原紙Ｍの先端をクランプすることによって孔版原紙Ｍを着版させるとともに、孔版原紙Ｍの先端を跳ね上げることによって孔版原紙Ｍを排版させる。
【００２２】
剥離爪２４は、版胴２１の下方に設けられ、印刷済みの用紙Ｓを孔版原紙Ｍから剥離する。
【００２３】
プレスローラ２５は、版胴２１の下方に設けられている。プレスローラ２５は、版胴２１に巻き付けられて版胴２１とともに回転する孔版原紙Ｍに対し、用紙Ｓを押し付ける。
【００２４】
製版部３０は、原紙収容部３１と、サーマルヘッド３２と、プラテンローラ３３と、原紙送りローラ３４と、原紙カッタ３５とを有する。
【００２５】
原紙収容部３１は、ロール状に巻かれた孔版原紙Ｍを収容する。
サーマルヘッド３２は、例えば、原稿読取部４によって読み取られた画像データ、又はインターフェース部４４によってパーソナルコンピュータなどの外部機器から受信した画像データに基づく制御部４１の制御によって孔版原紙Ｍに対して感熱穿孔を行う。
【００２６】
プラテンローラ３３は、サーマルヘッド３２との間で孔版原紙Ｍを挟持する。
原紙送りローラ３４は、感熱穿孔が行われた孔版原紙Ｍを搬送する。
【００２７】
原紙カッタ３５は、原紙送りローラ３４により搬送される孔版原紙Ｍを１版ごとに切断する。原紙カッタ３５によって切断された１版分の孔版原紙Ｍは、上述の版胴２１に巻き付けられる。
【００２８】
図２に示す制御部４１は、孔版印刷装置１全体の動作を制御する演算処理装置として機能するプロセッサ（例えばＣＰＵ： Central Processing Unit）を有し、印刷部２０等の各部の動作を制御する。
【００２９】
ＲＯＭ（Read Only Memory）４２は、例えば、所定の制御プログラムが予め記録されている読み出し専用半導体メモリである。なお、ＲＯＭ４２として、フラッシュメモリ等の、電力供給の停止に対して記憶データが不揮発性であるメモリを使用してもよい。
【００３０】
ＲＡＭ（Random Access Memory）４３は、例えば、制御部４１が各種の制御プログラムを実行する際に必要に応じて作業用記憶領域として使用される随時書き込み読み出し可能な半導体メモリである。
【００３１】
ＲＯＭ４２及びＲＡＭ４３は、記憶部の一例である。記憶部としては、ＲＯＭ４２及びＲＡＭ４３からなるものに限られず、ハードディスク装置などを有するものであってもよい。
【００３２】
インターフェース部４４は、有線又は無線で接続されるパーソナルコンピュータなどの各種機器との間での各種情報の授受を行う。上述のように、インターフェース部４４は、パーソナルコンピュータなどの外部機器から画像データを含む印刷ジョブを受信可能であるとよい。
【００３３】
印刷部駆動部５０は、印刷部２０を用紙Ｓの搬送方向Ｄの前方（図１における右方向）に移動させることによって、印刷部２０による図５に示す仕分け用紙Ｓ０への印刷位置をずらす。また、印刷部駆動部５０は、仕分け用紙Ｓ０の印刷が終了した後には、印刷部２０を搬送方向Ｄの後方へ初期位置に戻す。このように印刷部駆動部５０が印刷部２０を、印刷位置をずらすように移動させているときや初期位置に移動させているときには、図１に示す給紙部７による給紙や印刷部２０による印刷は停止させておくとよい。
【００３４】
なお、印刷位置をずらすためには、印刷部駆動部５０は、印刷部２０を用紙Ｓの搬送方向Ｄの後方や搬送方向Ｄに直交する用紙Ｓの幅方向に移動させてもよい。また、印刷位置をずらす印刷位置ずらし手段は、印刷部駆動部５０に限られず、例えば、用紙Ｓの位置を搬送方向にずらすことが可能な用紙Ｓの搬送手段、用紙Ｓの位置を幅方向に移動させる幅寄せ機構などであってもよい。更には、例えば孔版印刷装置１に代えてインクジェット印刷装置が用いられる場合には、インクジェットヘッドによるインクの吐出位置を変更することでも印刷位置をずらすことができる。この場合、インクジェットヘッドが印刷位置ずらし手段として機能することになる。
【００３５】
図３は、仕分け制御を説明するためのフローチャートである。
なお、図３に示す各処理は、図２に示す制御部４１によって行われる。
【００３６】
まず、制御部４１は、操作パネル部３、又は、インターフェース部４４を介して接続される外部機器において、ユーザによって仕分けを行う設定がされているかを判定する（ステップＳ１）。
【００３７】
制御部４１は、仕分けを行う設定がされていると判定した場合（ステップＳ１：ＹＥＳ）、仕分けタイミングかを判定する（ステップＳ２）。この仕分けタイミングは、印刷枚数が例えば、操作パネル部３又は外部機器においてユーザによって設定された単位の枚数に到達したタイミングや、複数ページ（１セット）の印刷を１セットごとに行う場合のセット間のタイミングなどであるが、任意に設定されればよい。なお、印刷が１枚目であれば、通常、仕分けタイミングとはならない。
【００３８】
制御部４１は、仕分けタイミングでないと判定した場合（ステップＳ２：ＮＯ）、通常印刷、すなわち、印刷位置をずらさない印刷を行う（ステップＳ３）。一方、制御部４１は、仕分けタイミングと判定した場合（ステップＳ２：ＹＥＳ）、印刷位置をずらす仕分け印刷を行う（ステップＳ４）。
【００３９】
例えば、制御部４１は、印刷部駆動部５０が印刷部２０を初期位置から搬送方向Ｄの前方のみに移動可能である場合で、且つ、図５に示す仕分け用紙Ｓ０に印刷される印刷内容Ｃが文字「Ａ」である場合には、操作パネル部３又は外部機器から取得される画像データに基づき、文字「Ａ」である印刷内容Ｃを図５に示すように搬送方向Ｄの前方に余白がなくなるように又は少なくなるようにずらす（ずらす前の印刷内容Ｃを灰色で示す）。すなわち、制御部４１は、印刷位置をずらして印刷部２０によって仕分け用紙Ｓ０に印刷を行わせる。これにより、図６に示すように、文字「Ａ」である印刷内容Ｃが連続的に印刷される用紙Ｓの間に、印刷内容Ｃの印刷位置をずらした仕分け用紙Ｓ０の印刷を行うことができる。
【００４０】
なお、仕分け用紙Ｓ０の前に印刷される用紙Ｓと仕分け用紙Ｓ０の後に印刷される用紙Ｓとで印刷内容Ｃが異なる場合には、制御部４１は、仕分け用紙Ｓ０に、前又は後に印刷される用紙Ｓの印刷内容Ｃのどちらか一方と同一の印刷内容Ｃの印刷を行わせるとよい。
【００４１】
また、仕分け用紙Ｓ０の印刷内容Ｃは、他の用紙Ｓの印刷内容Ｃよりも色を濃く若しくは薄くしたり、又は色を変更したりしてもよい。また、孔版印刷装置１が印刷部２０以外の他の印刷手段を有する場合には、この他の印刷手段が仕分け用紙Ｓ０に仕分け用紙Ｓ０であることを表す印刷を行ってもよい。
【００４２】
制御部４１は、仕分け用紙Ｓ０の印刷位置をずらす方向を、印刷内容Ｃの周縁と仕分け用紙Ｓ０の周縁との余白幅Ｗ１〜Ｗ４（図４参照）に基づいて決定するとよい。例えば、印刷部駆動部５０が印刷部２０を初期位置から移動可能な方向の余白幅Ｗ１〜Ｗ４のうち最も小さい方に印刷部２０を移動させるように印刷部駆動部５０を制御することによって、印刷部２０の移動量を抑えることができる。或いは、制御部４１は、印刷部駆動部５０が印刷部２０を初期位置から移動可能な方向の余白幅Ｗ１〜Ｗ４のうち最も大きい方に印刷部２０を移動させるように印刷部駆動部５０を制御することによって、印刷内容Ｃの印刷位置をずらしたことをユーザに識別させやすくすることができる。
【００４３】
なお、仕分け用紙Ｓ０の印刷位置をずらす方向やずらす量は、操作パネル部３又は外部機器において、ユーザにより設定されてもよい。ずらす方向の設定は、例えば、常に一定方向にずらす設定や、印刷の度に行われる設定である。また、ずらす量の設定は、例えば、ずらす長さやずらす位置（仕分け用紙Ｓ０の周縁又は周縁からの長さ）である。
【００４４】
また、制御部４１は、仕分け用紙Ｓ０の印刷位置を、印刷内容Ｃが仕分け用紙Ｓ０からはみ出すようにずらしてもよい。例えば、制御部４１は、印刷部駆動部５０が印刷部２０を初期位置から移動可能な方向に仕分け用紙Ｓ０から印刷内容Ｃを所定長さはみ出させた場合のはみ出し部分（はみ出す印刷領域）Ｃ１ａ〜Ｃ４ａの色材（例えばインク）の量、すなわち、はみ出し部分Ｃ１ａ〜Ｃ４ａのそれぞれに印刷される色材の総量に基づいて決定するとよい。
【００４５】
なお、印刷内容Ｃを仕分け用紙Ｓ０からはみ出させた場合の上記所定長さは、例えば、図７に灰色で示す印刷内容Ｃ１〜Ｃ４のように印刷内容Ｃの半分の長さ、仕分け用紙Ｓ０の周縁からの一定のはみ出し長さ、又は、元の印刷位置からずらした結果、仕分け用紙Ｓ０の周縁からはみ出す長さなどである。
【００４６】
制御部４１は、はみ出し部分Ｃ１ａ〜Ｃ４ａの色材の量が少ない方向、例えば図８に示す搬送方向Ｄの後方に印刷内容Ｃ２をずらすとよい（ずらす前の印刷内容Ｃを灰色で示す）。また、制御部４１は、色材の量と上述の余白幅Ｗ１〜Ｗ４とに基づいて印刷位置をずらす方向を決定してもよい。
【００４７】
なお、制御部４１が、印刷内容Ｃを仕分け用紙Ｓ０からはみ出させるのは、例えば、印刷内容Ｃが所定の大きさ以上である場合（例えば、図４に示す文字Ａを囲む二点鎖線の矩形領域の仕分け用紙Ｓ０の大きさに対する面積割合が所定割合以上である場合や、余白幅Ｗ１〜Ｗ４のうち少なくとも１つの最小値若しくは最大値、又は余白幅Ｗ１〜Ｗ４のうち少なくとも２つの平均値が、所定値以上である場合など）のみとしてもよい。印刷内容Ｃが仕分け用紙Ｓ０内で大きくなるほど余白が少なくなり、仕分け用紙Ｓ０内で印刷位置をずらした場合にユーザが識別しづらいためである。
【００４８】
図３のフローチャートに戻り、制御部４１は、通常印刷（ステップＳ３）又は仕分け印刷（ステップＳ４）が終了した後、印刷が終了したかを判定する（ステップＳ５）。制御部４１は、印刷が終了していなければ（ステップ５：ＮＯ）、次に印刷される用紙Ｓ（又は仕分け用紙Ｓ０）に関して、仕分けタイミングかの判定処理（ステップＳ２）に戻り、印刷が終了していれば（ステップＳ５：ＹＥＳ）、図３に示す処理を終了する。
【００４９】
また、制御部４１は、上述の仕分けを行う設定がされているかの判定処理（ステップＳ１）において、仕分けを行う設定がされていないと判定した場合（ステップＳ１：ＮＯ）、通常印刷を行う（ステップＳ６）。その後、制御部４１は、印刷が終了したかを判定する（ステップＳ７）。制御部４１は、印刷が終了していなければ（ステップ７：ＮＯ）、次の用紙Ｓに通常印刷を行い（ステップＳ６）、印刷が終了していれば（ステップＳ７：ＹＥＳ）、図３に示す処理を終了する。
【００５０】
以上説明した本実施の形態では、印刷装置の一例である孔版印刷装置１は、用紙Ｓに印刷を行う印刷部２０と、この印刷部２０を制御する制御部４１と、を備え、この制御部４１は、複数の用紙Ｓを仕分ける仕分け用紙Ｓ０に、この仕分け用紙Ｓ０の前に印刷される用紙Ｓ及び後に印刷される用紙Ｓのうち少なくとも一方の印刷内容Ｃと同一の印刷内容Ｃが、印刷位置がずれて印刷される仕分け制御を行う。
【００５１】
これにより、仕分け用紙Ｓ０の印刷の前後の少なくとも一方の印刷内容Ｃと同一の印刷内容Ｃを印刷位置がずれて仕分け用紙Ｓ０に印刷されるため、仕分け用紙Ｓ０のために異なる印刷内容Ｃの印刷を行う制御を省略することができる。また、例えば、排紙部８において用紙Ｓを移動させることによって仕分け用紙Ｓ０とする仕分け装置や、用紙Ｓの間にテープなどを挿入する仕分け装置を配置するのを省略することができる。更には、互いに色又はサイズが異なる用紙Ｓを収容する複数の給紙トレイを用いて、仕分け用紙Ｓ０として色又はサイズが異なる用紙Ｓを他の給紙トレイから給紙させる場合と比較して、複数の給紙トレイを備えることが必須になるのを回避することができるとともに他の給紙トレイから仕分けのために用紙Ｓの給紙を行う制御を回避することができる。よって、本実施の形態によれば、簡単な構成及び簡単な制御で用紙Ｓの仕分けを行うことができる。
【００５２】
また、本実施の形態では、制御部４１は、仕分け用紙Ｓ０の印刷位置をずらす方向を、少なくとも、印刷内容Ｃの周縁と仕分け用紙Ｓ０の周縁との余白幅Ｗ１〜Ｗ４に基づいて、決定する。これにより、用紙Ｓの印刷内容Ｃに応じて、例えば、余白幅Ｗ１〜Ｗ４のうち小さい方に制御部４１が印刷位置をずらす場合、印刷部２０（又は用紙Ｓ）の移動量を抑えることができる。また、余白幅Ｗ１〜Ｗ４のうち大きい方に制御部４１が印刷位置をずらす場合、仕分け用紙Ｓ０の印刷内容Ｃの印刷位置がずれていることをユーザに識別させやすくすることができる。
【００５３】
また、本実施の形態では、制御部４１は、仕分け用紙Ｓ０の印刷位置を、印刷内容Ｃが仕分け用紙Ｓ０からはみ出すようにずらす。これにより、仕分け用紙Ｓ０の印刷内容Ｃの印刷位置がずれていることをユーザに識別させやすくすることができる。
【００５４】
また、本実施の形態では、制御部４１は、仕分け用紙Ｓ０の印刷位置をずらす方向を、少なくとも、仕分け用紙Ｓ０からはみ出す印刷領域（はみ出し部分Ｃ１ａ〜Ｃ４ａ）の色材（例えばインク）の量に基づいて、決定する。これにより、仕分け用紙Ｓ０の印刷位置を、印刷内容Ｃが仕分け用紙Ｓ０からはみ出すようにずらした場合の色材のはみ出し量を抑制することができる。これにより、例えば、孔版印刷装置１内がはみ出した色材で汚れるのを防止することもできる。
【００５５】
なお、本発明は、上述の実施の形態そのままに限定されるものではなく、実施段階でその要旨を逸脱しない範囲で構成要素を変形して具体化することができる。また、上述の実施の形態に開示されている複数の構成要素の適宜な組み合わせにより、種々の発明を形成することができる。例えば、実施の形態に示される全構成要素を適宜組み合わせても良い。このような、発明の趣旨を逸脱しない範囲内において種々の変形や応用が可能であることはもちろんである。以下に、本願の出願当初の特許請求の範囲に記載された発明を付記する。
【００５６】
［付記１］
用紙に印刷を行う印刷部と、
前記印刷部を制御する制御部と、を備え、
前記制御部は、複数の前記用紙を仕分ける仕分け用紙に、当該仕分け用紙の前に印刷される前記用紙及び後に印刷される前記用紙のうち少なくとも一方の印刷内容と同一の印刷内容が、印刷位置がずれて印刷される仕分け制御を行う
ことを特徴とする印刷装置。
［付記２］
前記制御部は、前記仕分け用紙の前記印刷位置をずらす方向を、少なくとも、前記印刷内容の周縁と前記仕分け用紙の周縁との余白幅に基づいて、決定する
ことを特徴とする付記１記載の印刷装置。
［付記３］
前記制御部は、前記仕分け用紙の前記印刷位置を、前記印刷内容が前記仕分け用紙からはみ出すようにずらす
ことを特徴とする付記１又は２記載の印刷装置。
［付記４］
前記制御部は、前記仕分け用紙の前記印刷位置をずらす方向を、少なくとも、当該仕分け用紙からはみ出す印刷領域の色材の量に基づいて、決定する
ことを特徴とする付記３記載の印刷装置。
【符号の説明】
【００５７】
１      孔版印刷装置
２      装置筐体
３      操作パネル部
４      原稿読取部
５      カム駆動部
６      排版部
７      給紙部
８      排紙部
２０      印刷部
２１      版胴
２２      支軸
２３      クランプ部
２４      剥離爪
２５      プレスローラ
３０      製版部
３１      原紙収容部
３２      サーマルヘッド
３３      プラテンローラ
３４      原紙送りローラ
３５      原紙カッタ
４１      制御部
４２      ＲＯＭ
４３      ＲＡＭ
４４      インターフェース部
５０      印刷部駆動部
Ｃ（Ｃ１〜Ｃ４）      印刷内容
Ｃ１ａ〜Ｃ４ａ      はみ出し部分
Ｄ      搬送方向
Ｍ      孔版原紙
Ｓ      用紙
Ｓ０      仕分け用紙
Ｗ１〜Ｗ４      余白幅
【図１】
2019188703.tif 000003
【図２】
2019188703.tif 000004
【図３】
2019188703.tif 000005
【図４】
2019188703.tif 000006
【図５】
2019188703.tif 000007
【図６】
2019188703.tif 000008
【図７】
2019188703.tif 000009
【図８】
2019188703.tif 000010